【手続補正書】
【提出日】平成30年4月3日(2018.4.3)
【手続補正１】
【補正対象書類名】特許請求の範囲
【補正対象項目名】全文
【補正方法】変更
【補正の内容】
【特許請求の範囲】
【請求項１】
第２ティア送信機において、利用可能な共有スペクトルリソースの指示を受信することと、ここにおいて、前記利用可能な共有スペクトルリソースが１つまたは複数の共有チャネルを含む、
前記第２ティア送信機において、送信のためのデータを決定することと、
前記第２ティア送信機によって、前記１つまたは複数の共有チャネルに関連するクリアチャネルアセスメント（ＣＣＡ）期間中にチャネル予約信号を送信することと、
前記第２ティア送信機によって、前記利用可能な共有スペクトルリソース上で送信のための前記データを送信することと
を備える、ワイヤレス通信の方法。
【請求項２】
送信のための前記データを前記送信することが、前記１つまたは複数の共有チャネルの少なくとも一部分上で送信することを含み、ここにおいて、前記１つまたは複数の共有チャネルが少なくとも１つの無認可チャネルを含む、請求項１に記載の方法。
【請求項３】
前記第２ティア送信機によって、前記１つまたは複数の共有チャネルに関連するすべてのクリアチャネルアセスメント（ＣＣＡ）プロシージャを無視すること
をさらに含む、請求項１に記載の方法。
【請求項４】
第１ティアユーザによって使用されないとき、前記第２ティア送信機が、前記利用可能な共有スペクトルリソースにアクセスすることを認可される、請求項１に記載の方法。
【請求項５】
前記指示が、第１スペクトルティアから前記第２ティア送信機において受信される、請求項１に記載の方法。
【請求項６】
第３ティア送信機において、利用可能な共有スペクトルリソースの指示を受信することと、ここにおいて、前記利用可能な共有スペクトルリソースが１つまたは複数の共有チャネルを含む、
前記第３ティア送信機によって、前記利用可能な共有スペクトルリソースの複数のチャネルを少なくとも１つの第２ティア送信機の存在について監視することと、
前記第３ティア送信機によって、前記１つまたは複数の共有チャネル上でクリアチャネルアセスメント（ＣＣＡ）を実施することと、
前記第３ティア送信機によって、前記ＣＣＡをクリアとして検出したことに応答して前記１つまたは複数の共有チャネル上でデータを送信することと
を備える、請求項１に記載の方法。
【請求項７】
前記第３ティア送信機において、前記少なくとも１つの第２ティア送信機を検出したことに応答して、前記少なくとも１つの第２ティア送信機とタイミングを同期させることをさらに含む、請求項６に記載の方法。
【請求項８】
前記複数のチャネルのすべてよりも少ないチャネル上での前記少なくとも１つの第２ティア送信機の検出に応答して、
前記少なくとも１つの第２ティア送信機の存在がその上で検出されない前記複数のチャネルのうちのチャネルを選択することをさらに含み、ここにおいて、ＣＣＡを前記実施すること、およびデータを前記送信することが、前記選択されたチャネル上で行われる、請求項６に記載の方法。
【請求項９】
前記監視することが、前記第３ティア送信機によって周期的に実施される、請求項６に記載の方法。
【請求項１０】
前記指示が、第１スペクトルティアから前記第３ティア送信機において受信される、請求項６に記載の方法。
【請求項１１】
第２ティア送信機において、利用可能な共有スペクトルリソースの指示を受信するための手段と、ここにおいて、前記利用可能な共有スペクトルリソースが１つまたは複数の共有チャネルを含む、
前記第２ティア送信機において、送信のためのデータを決定するための手段と、
前記第２ティア送信機によって、前記１つまたは複数の共有チャネルに関連するクリアチャネルアセスメント（ＣＣＡ）期間中にチャネル予約信号を送信するための手段と、  前記第２ティア送信機によって、前記利用可能な共有スペクトルリソース上で送信のための前記データを送信するための手段と
を備える、ワイヤレス通信のために構成された装置。
【請求項１２】
送信のための前記データを送信するための前記手段が、前記１つまたは複数の共有チャネルの少なくとも一部分上で送信するための手段を含み、ここにおいて、前記１つまたは複数の共有チャネルが少なくとも１つの無認可チャネルを含む、請求項１１に記載の装置。
【請求項１３】
前記第２ティア送信機によって、前記１つまたは複数の共有チャネルに関連するすべてのクリアチャネルアセスメント（ＣＣＡ）プロシージャを無視するための手段
をさらに含む、請求項１１に記載の装置。
【請求項１４】
第１ティアユーザによって使用されないとき、前記第２ティア送信機が、前記利用可能な共有スペクトルリソースにアクセスすることを認可される、請求項１１に記載の装置。
【請求項１５】
前記指示が、第１スペクトルティアから前記第２ティア送信機において受信される、請求項１１に記載の装置。
【手続補正２】
【補正対象書類名】明細書
【補正対象項目名】００７９
【補正方法】変更
【補正の内容】
【００７９】
[0089]本開示についての以上の説明は、いかなる当業者も本開示を作成または使用することができるようにするために提供したものである。本開示への様々な変更は当業者には容易に明らかになり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、本願の出願当初の特許請求の範囲に記載された発明を付記する。
［Ｃ１］
第２ティア送信機において、利用可能な共有スペクトルリソースの指示を受信することと、ここにおいて、前記利用可能な共有スペクトルリソースが１つまたは複数の共有チャネルを含む、
前記第２ティア送信機において、送信のためのデータを決定することと、
前記第２ティア送信機によって、前記１つまたは複数の共有チャネルに関連するクリアチャネルアセスメント（ＣＣＡ）期間中にチャネル予約信号を送信することと、
前記第２ティア送信機によって、前記利用可能な共有スペクトルリソース上で送信のための前記データを送信することと
を備える、ワイヤレス通信の方法。
［Ｃ２］
送信のための前記データを前記送信することが、前記１つまたは複数の共有チャネルの少なくとも一部分上で送信することを含み、ここにおいて、前記１つまたは複数の共有チャネルが少なくとも１つの無認可チャネルを含む、Ｃ１に記載の方法。
［Ｃ３］
前記第２ティア送信機によって、前記１つまたは複数の共有チャネルに関連するすべてのクリアチャネルアセスメント（ＣＣＡ）プロシージャを無視すること
をさらに含む、Ｃ１に記載の方法。
［Ｃ４］
第１ティアユーザによって使用されないとき、前記第２ティア送信機が、前記利用可能な共有スペクトルリソースにアクセスすることを認可される、Ｃ１に記載の方法。
［Ｃ５］
前記指示が、第１スペクトルティアから前記第２ティア送信機において受信される、Ｃ１に記載の方法。
［Ｃ６］
第３ティア送信機において、利用可能な共有スペクトルリソースの指示を受信することと、ここにおいて、前記利用可能な共有スペクトルリソースが１つまたは複数の共有チャネルを含む、
前記第３ティア送信機によって、前記利用可能な共有スペクトルリソースの複数のチャネルを少なくとも１つの第２ティア送信機の存在について監視することと、
前記第３ティア送信機によって、前記１つまたは複数の共有チャネル上でクリアチャネルアセスメント（ＣＣＡ）を実施することと、
前記第３ティア送信機によって、前記ＣＣＡをクリアとして検出したことに応答して前記１つまたは複数の共有チャネル上でデータを送信することと
を備える、ワイヤレス通信の方法。
［Ｃ７］
前記第３ティア送信機において、前記少なくとも１つの第２ティア送信機を検出したことに応答して、前記少なくとも１つの第２ティア送信機とタイミングを同期させることをさらに含む、Ｃ６に記載の方法。
［Ｃ８］
前記複数のチャネルのすべてよりも少ないチャネル上での前記少なくとも１つの第２ティア送信機の検出に応答して、
前記少なくとも１つの第２ティア送信機の存在がその上で検出されない前記複数のチャネルのうちのチャネルを選択することをさらに含み、ここにおいて、ＣＣＡを前記実施すること、およびデータを前記送信することが、前記選択されたチャネル上で行われる、Ｃ６に記載の方法。
［Ｃ９］
前記監視することが、前記第３ティア送信機によって周期的に実施される、Ｃ６に記載の方法。
［Ｃ１０］
前記指示が、第１スペクトルティアから前記第３ティア送信機において受信される、Ｃ６に記載の方法。
［Ｃ１１］
第２ティア送信機において、利用可能な共有スペクトルリソースの指示を受信するための手段と、ここにおいて、前記利用可能な共有スペクトルリソースが１つまたは複数の共有チャネルを含む、
前記第２ティア送信機において、送信のためのデータを決定するための手段と、
前記第２ティア送信機によって、前記１つまたは複数の共有チャネルに関連するクリアチャネルアセスメント（ＣＣＡ）期間中にチャネル予約信号を送信するための手段と、  前記第２ティア送信機によって、前記利用可能な共有スペクトルリソース上で送信のための前記データを送信するための手段と
を備える、ワイヤレス通信のために構成された装置。
［Ｃ１２］
送信のための前記データを送信するための前記手段が、前記１つまたは複数の共有チャネルの少なくとも一部分上で送信するための手段を含み、ここにおいて、前記１つまたは複数の共有チャネルが少なくとも１つの無認可チャネルを含む、Ｃ１１に記載の装置。
［Ｃ１３］
前記第２ティア送信機によって、前記１つまたは複数の共有チャネルに関連するすべてのクリアチャネルアセスメント（ＣＣＡ）プロシージャを無視するための手段
をさらに含む、Ｃ１１に記載の装置。
［Ｃ１４］
第１ティアユーザによって使用されないとき、前記第２ティア送信機が、前記利用可能な共有スペクトルリソースにアクセスすることを認可される、Ｃ１１に記載の装置。
［Ｃ１５］
前記指示が、第１スペクトルティアから前記第２ティア送信機において受信される、Ｃ１１に記載の装置。
［Ｃ１６］
第３ティア送信機において、利用可能な共有スペクトルリソースの指示を受信するための手段と、ここにおいて、前記利用可能な共有スペクトルリソースが１つまたは複数の共有チャネルを含む、
前記第３ティア送信機によって、前記利用可能な共有スペクトルリソースの複数のチャネルを少なくとも１つの第２ティア送信機の存在について監視するための手段と、
前記第３ティア送信機によって、前記１つまたは複数の共有チャネル上でクリアチャネルアセスメント（ＣＣＡ）を実施するための手段と、
前記第３ティア送信機によって、前記ＣＣＡをクリアとして検出したことに応答して前記１つまたは複数の共有チャネル上でデータを送信するための手段と
を備える、ワイヤレス通信のために構成された装置。
［Ｃ１７］
前記第３ティア送信機において、前記少なくとも１つの第２ティア送信機を検出したことに応答して、前記少なくとも１つの第２ティア送信機とタイミングを同期させることをさらに含む、Ｃ１６に記載の装置。
［Ｃ１８］
前記複数のチャネルのすべてよりも少ないチャネル上での前記少なくとも１つの第２ティア送信機の検出に応答して実行可能な、前記少なくとも１つの第２ティア送信機の存在がその上で検出されない前記複数のチャネルのうちのチャネルを選択するための手段をさらに含み、ここにおいて、ＣＣＡを実施するための前記手段、およびデータを送信するための前記手段が、前記選択されたチャネル上で行われる、
Ｃ１６に記載の装置。
［Ｃ１９］
監視するための前記手段が、前記第３ティア送信機によって周期的に実施される、Ｃ１６に記載の装置。
［Ｃ２０］
前記指示が、第１スペクトルティアから前記第３ティア送信機において受信される、Ｃ１６に記載の装置。